(57)【要約】【課題】湯量はタオルに含ませておけるだけの少量で済ませられ、どんなに熱いタオルでも持てるよう容器のなかにタオルをいれ、タオルに含められるだけの熱湯を含ませ、始めは蒸気浴から、温度が下がってきたらだんだん顔を近づけていき、最終的には顔を埋め込み蒸しタオルをするという温度の変化をすべて活用し一つの工程のなかで蒸す・温めるが連続して出来る美容器具を得るにある。【解決手段】一端開口の容器の底部に孔を形成した容器と、前記容器の底部に設置される、柔軟性があって通気性のない素材で作られる有底袋状の底部に、前記容器の孔に対向する孔を形成したシートと、前記シート上にシートの孔を塞ぐことのないよう配置される保水及び吸水性のある素材で作られた蒸気発生体と、容器を頭に掛けるための装着部材とで美容器具を構成している。【選択図】図１
2005046596.tif 000002
【特許請求の範囲】
【請求項１】
一端開口の容器の底部に孔４Ａを形成した容器１Ａと、前記容器１Ａの底部に設置され
る柔軟性があって通気性のない素材で作られる有底袋状の底部に、前記容器１Ａの孔４Ａ
に対向する孔４Ｂを形成したシート２と、前記シート２上にシートの孔４Ｂを塞ぐことの
ないよう孔４Ｃが構成されて配置される吸水及び保水性のある素材で作られた蒸気発生体
３とからなることを特徴とする美容器具。
【請求項２】
一端開口の容器の底部に、底部から開口部の縁に連通する溝状凹部６を形成した容器１
Ｂと、前記容器１Ｂの底部に設置される柔軟性があって通気性のない素材で作られる有底
袋状の底部に、前記容器１Ｂの溝状凹部６に対向する孔４Ｂを形成したシート２と、前記
シート２上にシートの孔４Ｂを塞ぐことのないよう孔４Ｃが構成されて配置される吸水及
び保水性のある素材で作られた蒸気発生体３とからなることを特徴とする美容器具。
【請求項３】
前記溝状凹部６を覆う形状であって前記容器１Ｂと前記シート２との間に配置され、前
記シート２の孔４Ｂに対向する位置に孔４Ｄを有する保持板７を設置したことを特徴とす
る請求項２記載の美容器具。
【請求項４】
前記容器１を顔に装着するための装着部材１３を更に備えたことを特徴とする請求項１
、２及び３いずれか記載の美容器具。
【請求項５】
前記シート２上に配置される蒸気発生体３の素材を長方形の布とし、その布の短さ方向
を縫合して輪状にし、端に平行する二箇所の任意の位置に紐９を通し、その紐９をそれぞ
れ適度に絞ることにより円形が形どられることを特徴とした請求項１、２及び３いずれか
記載の美容器具。
【請求項６】
前記シート２の底部の孔４Ｂに身返し部８をつけ、その身返し部８を前記容器１Ａの底
部の孔４Ａを通して外側に出し、前記容器１Ａを挟む形でシート２を取り付けることを特
徴とする請求項１記載の美容器具。
【発明の詳細な説明】
【技術分野】
【０００１】
本発明は顔面皮膚を活性化させるために、顔を蒸し毛穴を開かせて老廃物を取り除くとともに、血行をよくし内面からの活性化をも促すことの出来る美容器具に関するものである。
【背景技術】
【０００２】
従来、一般家庭で手軽に顔を蒸したり温めたりする方法として、
１．蒸しタオルや、顔蒸し用マスクを顔に当てたり、
２．容器に蓄えた湯の中に顔を入れ、外部につながる管を口にくわえることにより呼吸しながら顔を温める方法や、
３．容器に湯を張り顔と容器とをシートで囲い、蒸気を顔に当てる方法等がある。
【特許文献１】実全  昭６３−１９７５３８号
【特許文献２】実登  ３０６６９３４号
【特許文献３】実願  昭３４−６６７７２号
【発明の開示】
【発明が解決しようとする課題】
【０００３】
しかしながら、従来各家庭で行われている蒸しタオルは熱い湯を含ませたタオルを絞ったりと熱いタオルに直接手を触れないと作業が出来ない。
【０００４】
蒸しタオル又はマスクを顔に当てる方法と容器に入れた湯のなかに顔をつける方法とは、顔を入浴させたと同じ状態にしたものであり、湯の入った容器と顔とをシートで囲い蒸気浴するものはサウナに入ると同じことになる。
入浴とサウナを比べるに、入浴は短時間で体は温まるがサウナは長い時間入っていないと効果は出ない。
【０００５】
湯の入った容器と顔とをシートで囲い蒸気浴するものは、それなりに多くの熱湯を用意しなければならず、もしものときには火傷の心配も無きにしも非ずである。
【０００６】
本発明の美容器具を使用しての蒸気浴に続けての蒸しタオルと、湯の入った容器と顔とをシートで囲っての蒸気浴とを、同じの使用時間の１０分強で試した結果、蒸気浴だけでは温まることは温まるので毛穴は開くが、芯から温まらないため終了後、早く元の体温に戻ってしまうが、蒸気浴に続けての蒸しタオルをするといつまでも顔の火照りが続く。と言うことは芯から温まっていることが実証される訳である。
【０００７】
蒸しタオルは、ある程度固く絞らなくてはならない。ゆるく絞った蒸しタオルからは湯が滴り落ちるので使用できず、使用可能に湯が落ちないよう絞ったタオルは、湯の保有量が少ないため早く冷める。
【０００８】
顔に直接付ける蒸しタオル又はマスクは、熱すぎるものは顔に当てられないため温度には上限があり、その上、湯の保有量が少ないため、常時適温に加熱していないと蒸しタオル又はマスクの温度はすぐに下がる。
【０００９】
本発明は以上のような従来技術の欠点に鑑み、湯量はタオルに含ませておけるだけの少量で済ませられ、どんなに熱いタオルでも持てるよう容器のなかにタオルをいれ、タオルに含められるだけの熱湯を含ませ、始めは蒸気浴から、温度が下がってきたらだんだん顔を近づけていき、最終的には顔を埋め込み蒸しタオルをするという温度の変化をすべて活用し一つの工程のなかで蒸す・温めるが連続して出来る美容器具を提供することを目的としている。
【００１０】
本発明の前記ならびにその他の目的と新規な特徴は次の説明を添付図面と照らし合わせて読むと、より完全に明らかになるであろう。
但し、図面はもっぱら解説のためのものであって、本発明の技術的範囲を限定するものではない。
【課題を解決するための手段】
【００１１】
上記目的を達成するために、本発明は一端開口の容器の底部に孔４Ａを形成した容器１Ａと、前記容器１Ａの底部に設置される柔軟性があって通気性のない素材で作られる有底袋状の底部に、前記容器１Ａの孔４Ａに対向する孔４Ｂを形成したシート２と、前記シート２上にシートの孔４Ｂを塞ぐことのないよう孔４Ｃが構成されて配置される吸水及び保水性のある素材で作られた蒸気発生体３とからなる美容器具と、
【００１２】
一端開口の容器の底部に、底部から開口部の縁に連通する溝状凹部６を形成した容器１Ｂと、前記容器１Ｂの底部に設置される柔軟性があって通気性のない素材で作られる有底袋状の底部に、前記容器１Ｂの溝状凹部６に対向する孔４Ｂを形成したシート２と、前記シート２上にシートの孔４Ｂを塞ぐことのないよう孔４Ｃが構成されて配置される吸水及び保水性のある素材で作られた蒸気発生体３とからなる美容器具とに、
【００１３】
前記溝状凹部６を覆う形状であって前記容器１Ｂと前記シート２との間に配置され、前記シート２の孔４Ｂに対向する位置に孔４Ｄを有する保持板７を設置したり、
【００１４】
前記容器１を顔に装着するための装着部材１３を更に備えたり、
【００１５】
前記シート２上に配置される蒸気発生体３の素材を長方形の布とし、その布の短さ方向を縫合して輪状にし、端に平行する二箇所の任意の位置に紐９を通し、その紐９をそれぞれ適度に絞ることにより円形が形どられる蒸気発生体を設置したり、
【００１６】
前記シート２の底部の孔４Ｂに身返し部８をつけ、その身返し部８を前記容器１Ａの底部の孔４Ａを通して外側に出し、前記容器１Ａを挟む形でシート２を取り付けたりとして美容器具を構成している。
【発明の効果】
【００１７】
以上の説明から明らかなように、本発明にあっては次に列挙する効果が得られる。
【００１８】
（１）  一端開口の容器の底部に孔４Ａを形成した容器１Ａと、前記容器１Ａの底部に設置される柔軟性があって通気性のない素材で作られる有底袋状の底部に、前記容器１Ａの孔４Ａに対向する孔４Ｂを形成したシート２と、前記シート２上にシートの孔４Ｂを塞ぐことのないよう孔４Ｃが構成されて配置される保水及び吸水性のある素材で作られ、これに含ませる湯から蒸気が発生する蒸気発生体３とから構成され、その蒸気発生体３に熱湯を注ぎ込み、容器１Ａの周縁部からはみ出すシート２で顔を囲い、その含ませた湯から発生する蒸気を顔に当てるが、余計に注ぎ込まれる湯はそれぞれの孔４より流れ出るので火傷をする可能性が有るかもしれない容器内で遊ぶ熱湯を無くすことが出来る。
【００１９】
（２）上記（１）によって、容器１Ａとシート２と蒸気発生体３の対向する孔４を合わせながら重ねて設置し、その孔４と鼻を合わせれば顔を埋め込んで蒸し続けても呼吸が出来る。
【００２０】
（３）上記（１）によって、最初は高熱である蒸気発生体３を容器のなかに収めて取り扱えるので熱い蒸気発生体３に手を触れずに済ますことが出来、蒸しタオルを行うとき苦労する熱いタオルを絞ることをしないで済ますことが出来る。
【００２１】
（４）上記（１）によって、シート２により顔を囲うと立ちのぼる蒸気を逃がすことなく顔に当てることが出来ると共に、シート２の上端が首近くまでくるので、顔が少し上向いた状態で使用してもあるいは、容器１が少し浅目であったとしても、使用中顎に当たる部分の底に集まってくる湯が、シート２によって保留され容器１から溢れなくて済む。
【００２２】
（５）上記（１）によって、始めは立ちのぼる蒸気によって顔を蒸しはじめ、温度の下がり具合に合わせて顔を接近していくため、手も触れられないような熱湯からでも使えるので、温度の変化を最大限に活用でき、一度の作業で効率よく顔を蒸し温めることができると共に、始めから顔に密着させなければならない従来の蒸しタオル又はマスクと異なり顔の接近の度合いによって自分の好む温度を選択しながら蒸す・温めるが出来る。
【００２３】
（６）上記（１）によって、高い効果を挙げることが出来、従来の蒸しタオルを顔に押し当てるという方法では、幾度か繰り返さなければ高い効果が挙げられないので、絞り変えている間の顔が冷えるというロスを無くすために複数のタオルを使用するとなれば、後始末の濯ぎ・乾燥と余計な手間がかかるが、一度の作業で済むのでその必要はなく、タオルを直接顔に当てて蒸すときは、熱すぎず低すぎずと温度を調節しなければならないがその必要もなく、蒸す・温めるが出来る。
【００２４】
（７）請求項２記載の美容器具は、一端開口の容器の底部に、底部から開口部の縁に連通する溝状凹部６を形成した容器１Ｂと、前記容器１Ｂの底部に設置される柔軟性があって通気性のない素材で作られる有底袋状の底部に、前記容器１Ｂの溝状凹部６に対向する孔４Ｂを形成したシート２と、前記シート２上にシートの孔４Ｂを塞ぐことのないよう孔４Ｃが構成されて配置される吸水及び保水性のある素材で作られ、これに含ませる湯から蒸気が発生する蒸気発生体３とから構成され、前記溝状凹部６を換気口排水口とし、注ぎ込んだ湯を一旦保留した上で余分に入ってしまった湯を流しだすことが出来るので、湯を注ぎ込んだとき自然に流れ出てしまうことはなく何処ででも湯を注ぎ込むことが出来ると共に、溝状凹部６とシート２と蒸気発生体３の対向する孔４とを合わせ、その孔４に鼻を合わせれば蒸気発生体３に顔を埋め込んでいても呼吸が出来る。
【００２５】
（８）前記（１）ないし（６）と同様な効果が得られる。
【００２６】
（９）請求項３記載の美容器具は、前記溝状凹部６を覆う形状であって前記容器１Ｂと前記シート２との間に配置され、前記シート２の孔４Ｂに対向する位置に孔４Ｄを有する保持板７を設置することによって、溝状凹部６が大きく深く取られた場合、顔を埋め込むとき蒸気発生体３が溝状凹部６に落ち込み顔から離れてしまうことがないよう蒸気発生体３を保持しておくことが出来る。
【００２７】
（１０）上記（９）によって、溝状凹部６が大きく深く取られた場合、シート２を保持板７と蒸気発生体３の間に挟み置くことによって、堰としての作用をすることが出来、注ぎ込まれた湯が無抵抗に流れ出ないで蒸気発生体３に保留される率が高くなり、温度を持続させることが出来る。
【００２８】
（１１）前記（１）ないし（７）と同様な効果が得られる。
【００２９】
（１２）請求項４記載の美容器具は、前記容器１を顔に装着するための装着部材１３を更に備えて、その装着部材１３を頭や耳に掛けることで、容器１をしっかりと持たずに手を添えるだけで済ますことが出来、片手を離し使用中のシート２の顔に接する具合の不都合などを手軽に直すことが出来るし、少しの間なら両手を放すことも出来る。
【００３０】
（１３）前記（１）ないし（１０）と同様な効果が得られる。
【００３１】
（１４）請求項５記載の美容器具は、前記シート２上に配置される蒸気発生体３の素材を長方形の布１０とし、その布１０の短さ方向を縫合して輪状にし、端に平行する二箇所の任意の位置に紐９を通し、その紐９をそれぞれ適度に絞ることで円形に形どられることにより、中程に呼吸が出来る孔４Ｃが構成されると共に、容器１の開口部に設置される蒸気発生体３の顔に当たる面に凹凸があると高温のとき出っ張った箇所が顔に当ってすごく熱さを感じるので、顔を差し入れたとき平均して顔に当たるように構成しなければならないが、紐を絞って形どると簡単に平均して設置でき、使用後の乾燥にも早く乾くよう広げて干すことが出来る。
【００３２】
（１５）前記（１）ないし（１２）と同様な効果が得られる。
【００３３】
（１６）請求項６記載の美容器具は、前記シート２の底部の孔４Ｂに身返し部８をつけ、その身返し部８を前記容器１Ａの底部の孔４Ａを通して外側に出し、前記容器１Ａを挟む形でシート２を取り付けることにより、前記容器１Ａの孔４Ａと前記シート２の孔４Ｂがずれなく設置できると共に、その身返し部８を下にさげて程よくまとめたり折り返したりすることで、孔４周辺の温度が下がらないよう容器１Ａの孔４Ａを程よく換気が出来る大きさに塞ぐことが出来る。
【００３４】
（１７）前記（１）ないし（１４）と同様な効果が得られる。
【発明を実施するための最良の形態】
【００３５】
以下、図面に示す実施するための最良の形態により、本発明を詳細に説明する。
図１ないし図１１の本発明の第１の実施するための最良の形態において、図３に示す１Ａは本発明の一端開口の、蒸気発生体３を挟んで顔が埋め込めるほぼ顔の形に近い形の容器で、４Ａはこの容器の底部に形成される孔であり、１３は容器を顔に装着する装着部材である。
【００３６】
図１及び２に示すこの容器１Ａの開口部に有底袋状の底部に前記容器１Ａの孔４Ａに対向する孔４Ｂが設けられるシート２を設置し、その上に前記孔４Ｂを塞がないよう孔４Ｃが構成されて配置される吸水及び保水性のある素材で作られた蒸気発生体３で構成されている。
【００３７】
容器１は、熱湯を注ぎ込むため、ポリプロピレン、ポリエチレン・プラスチック等の耐熱性があり、変形しない素材で形成されるが、発泡スチロールや、発泡体ポリスチレンや、発泡体ゴムや、空気を内蔵したもの等の保温性と耐熱性のある素材で形成すれば蒸し時間を延長することが出来る。
【００３８】
後述するシート２の孔４Ｂに身返し部８を形成すれば使用中顎に当たる底部に集まる湯はシート２のなかだけに存在するが、形成しないと湯の一部が容器１Ａのなかに入り込むので、身返し部８を形成しないときは、図４及び５に示す容器１Ａの顎に当たる部分の底を深く取ると使用中湯が溢れることを無くすことが出来る。
【００３９】
容器の孔４Ａを必要最小限に形成することで孔４周辺の温度を逃がさなくすることができ、熱いものを入れて持つことになるし、手より滑り落ちることを防ぐために容器１の周縁部は鍔状に形成されると良い。
【００４０】
有底袋状のシート２は、耐熱性及び柔軟性がありかつ、通気性のないビニールやポリエチレンやポリプロピレン等の素材を使用して容器の周縁部からはみ出した部分で顔を囲むことが出来るよう形成される。
【００４１】
形としては通常袋と呼ばれている袋の底に孔を形成したものでも容器内に設置できれば使用可能であるが、図６及び７に示す孔４Ａ及び孔４Ｃに対向する孔４Ｂを設けたほぼ楕円形のシートの周縁部に筒状のシートの開口部の一端を取り付け、底部の孔４Ｂに身返し部８をつけ、その身返し部８を図２に示す前記容器１Ａの底部の孔４Ａを通して外側に出し、前記容器１Ａを挟む形で取り付けると対向する孔４がずれなくて済む。
【００４２】
その他の例としては、図６に示すシート２の身返し部８のないシート２とか、図８に示す筒状のシートの開口部の一端を絞って袋状とし、その絞った部分を孔４Ｂとしたシート２とするもの等が挙げられる。身返し部８を形成しないときはシート２の底部の孔４Ｂを大きく形成しておくと対向する孔がずれて塞がることがなく呼吸が出来る。
【００４３】
また、図６に示す有底袋状のシート２の開口部に、ストッパー１６の設けられた紐又は
ゴム紐等を使った係止具１５を取り付け、人様々な頭の形に対応して前記シート２の開口
部の大きさを変えることもできる。
【００４４】
蒸気発生体３は、熱湯を含み置きそこより蒸気を発生することの出来るもの、例えば水分含有率の高いタオル等の布地とか、密度の高いスポンジ状の熱湯を含んで蒸気を発生させることの出来るものとか、または、形を形成すことはできないが形作られた袋状の中で熱湯を含みおき、蒸気を発生させることのできるもの等で構成され、顔に当たる面に凹凸があると高温のとき出っ張った箇所が顔に当ってすごく熱さを感じるので、容器１の開口部に設置した後の顔に接する面の形態は、顔を差し入れたとき平均して顔に当たるように構成しておく。
【００４５】
素材を保水性のある布であるタオルとした一例を挙げれば、図１０に示す長さを開口部の周縁部の大きさより少し多く取った長方形の布１０を短さ方向を縫合して輪状にし、その布１０の端に平行する二箇所の任意の位置に紐９を通し、図１１に示すその紐９をそれぞれ適度に絞ることにより円形が形どられ中央に孔４Ｃも構成される。この布は輪状にせずに紐を通してもよく、また、通す紐は１本だけ任意の位置に通して形作ってもよく、折り返し方は山折り谷折りいずれでもよいものとする。
【００４６】
図３に示す前記容器１に、前記容器１を手でしっかり持たなくとも顔に当てておけるよう顔に装着するための装着部材１３を備えるが、それは前記容器１の開口部近くのほぼ中央で対向する位置に掛け渡して取り付け頭に掛けたり、又は、左右に単独した装着部材をそれぞれ取り付けて耳に掛けたりする。掛け渡して取り付ける装着部材１３は両端部を固定しても着脱自在に取り付けても片方だけを着脱自在に取り付けても良いものとする。
【００４７】
この装着部材１３は、ゴム紐や紐やベルト等で作られるが、それらの組み合わせでもよく、その上にホックや面ファスナーやコードストッパー等の補助具を組み合わせたりして長さ調節が出来るようにすればなお良い。また、掛け渡して取り付ける場合、蒸気浴をしているとき使用する長くした装着部材と、顔を埋め込んだとき使用する短くした装着部材との異なる長さのものを２つ取り付けても良い。
【００４８】
次に図１２ないし図２４に示す本発明を実施するための異なる形態につき説明する。なお、これらの本発明を実施するための異なる形態の説明に当たって、前記本発明の第１の実施するための最良の形態と同一構成部分には同一符号を付して重複する説明を省略する。
【００４９】
図１２ないし図１７の本発明の第２の実施するための形態において、前記本発明の第１の実施するための最良の形態と主に異なる点は、一端開口の容器１Ｂの底部に、底部から開口部の縁に連通する図１２に示す溝状凹部６もしくは、図１３に示す管状部１１を形成し、図１４及び１５に示す前記容器１Ｂの底部に設置される、柔軟性があって通気性のない素材で作られる有底袋状の底部に、前記容器１Ｂの溝状凹部６もしくは、管状部１１の底部に位置する開口部１２とに対向する孔４Ｂを形成したシート２を設置した点で、この溝状凹部６もしくは、管状部１１を通して排水及び呼吸のための換気が出来るようにしたものである。管状部１１を形成しないで容器１Ｂの底部にパイプ状の管を、管の一端がシート２の孔４Ｂに対向する位置にくるよう、他端が開口部の縁より外に出るよう設置し管状部と同様な働きをさせてもよいものとする。
【００５０】
顎に当たる部分の溝状凹部６もしくは、管状部１１の底部に当たる開口部１２を深く大きく取っておけば、使用中どうしても滴り落ちて下に溜まってくる湯を保留しておくことの出来る図１６及び１７に示すスペース１４を構成できる。
【００５１】
スペース１４を形成したとき、後述する保持板７を設置しなければならないが、設置する前記シート２には顎に当たる部分のシート２に図９に示す幾つかの孔４Ｅを設けておくと湯がシート２上に溜まらずにスペース１４に適度に落とすことが出来る。以上説明した容器１Ｂにしても前記本発明の第１の実施するための最良の形態と同様な作用効果が得られる。
【００５２】
図１７ないし図２３の本発明の第３の実施するための形態において、前記本発明の第２の実施するための最良の形態と主に異なる点は溝状凹部６を覆う形状であって前記シート２の孔４Ｂに対向する位置に孔４Ｄを有する保持板７を前記容器１Ｂとシート２の間に設置した点であって、顎に当たる部分の溝状凹部６または、管状体１１の底部に位置する開口部１２に続く底部が大きく深く形成されるとき、蒸気発生体３が落ち込んで顔に接しなくならないよう蒸気発生体３を保持するものである。
【００５３】
素材は耐熱性があり、蒸気発生体３が載せられても変形しない強度があればよく、ネット状に形成される板状であれば孔４Ｄを形成しなくとも済み、形は例として図１７、１８および１９に示したもので、図１７に示した保持板７Ａは脚部１９として下に向けて折り曲げ形成してあるが、下に曲げずに上に折り返して開口部の縁に掛けて係止してもよい。
【００５４】
図１８に示すは脚部１９を形成しない保持板７Ｂである。また、図１９に示した顔型保持板１７は顔なりに少し湾曲した面状に近い形で形成され、シート２の孔４Ｂに対向する位置に孔４Ｄが設けられたもので、前記した保持板７と同様な扱いにしてもよく、その回りに筒状のシートを取り付ければ図２０に示す前記シート２と保持板７を兼ね備えたものとなる。顔型保持板１７の素材を前記シート２と同様にすれば図６に示すシート２の身返し部８のないシート２となる。
【００５５】
図２２に示すは図１７に示す保持板７Ａを使用した断面図であり、図２３に示すは図１８に示す保持板７Ｂを使用し容器の内部に設けられた突起部５Ａに保持板７Ｂを係止した断面図である。以上説明した保持板７を使用した容器１Ｂにしても前記本発明の第２の実施するための最良の形態と同様な作用効果が得られる。
【００５６】
図２４に示す本発明の第４の実施するための形態において、前記本発明の第１の実施するための最良の形態と主に異なる点は前記容器１Ａを受け入れることの出来る受け皿１８を使用することである。
【００５７】
前記容器１Ａの孔４Ａより流れ出る湯を受け止めた後、流し出せる受け皿１８の上に容器１Ａを載せて使用するもので、受皿１８は容器１Ａより流れ出た熱湯を受け止めたのち、流し出すことが出来るものとするため、容器１Ａを受入れることができ、耐熱性のある素材で作られ、図２４に示すよう額が当たる部分となるＢを湯が排出しやすいよう斜めにしておくとよい。
【００５８】
受皿１８は、熱湯の排出と換気のためと使用中滴り落ちる湯分の保留スペースを確保するため、容器１Ａが受皿１８に埋め尽くすように納まるものでなく、動かぬよう収まりながら隙間が作られるように形成することが望ましい。その上に、容器１Ａの底が受皿１８に接しないよう、容器１Ａの底下または受皿１８に形を問わない少なくとも一つの突起部５Ｂを形成して、容器１Ａの底が受皿１８に接しないようにしておいてもよい。
【００５９】
また、流れ出ても差し支えない所で前記容器１Ａに熱湯を注ぎ込んで、余分な湯が流れ出た後なら、滴り落ちる湯だけを受け止めるための深さ大きさをそれほど問わない盆状の受け皿を用意しておけば、流しの上でなく何処でも顔を蒸し・温めることが出来る。以上説明した受け皿１８を使用した容器１Ａにしても前記本発明の第１の実施するための最良の形態と同様な作用効果が得られる。
【図面の簡単な説明】
【００６０】
【図１】本発明の第１の実施の形態における容器の一部切欠きの斜視図
【図２】図１のＡ線に沿う断面図
【図３】本発明の第１の実施の形態における容器の斜視図
【図４】本発明の第１の実施の形態における容器の斜視図
【図５】図４のＡ線に沿う断面図
【図６】シートの一部切欠きの斜視図
【図７】図６のＡ線に沿う断面図
【図８】シートの一部切欠きの斜視図
【図９】シートの一部切欠きの斜視図
【図１０】蒸気発生体を布とした一部切欠きの斜視図
【図１１】蒸気発生体を布とした一部切欠きの斜視図
【図１２】本発明の第２の実施の形態における容器の斜視図
【図１３】本発明の第２の実施の形態における容器の斜視図
【図１４】本発明の第２の実施の形態における容器の一部切欠きの斜視図
【図１５】図１４のＡ線に沿う断面図
【図１６】本発明の第２の実施の形態における容器の斜視図
【図１７】本発明の第２の実施の形態における容器及び保持板の斜視図
【図１８】保持板の斜視図
【図１９】顔型保持板の斜視図
【図２０】シートを顔型保持板に取り付けた一部切欠きの斜視図
【図２１】本発明の第３の実施の形態における容器の一部切欠きの斜視図
【図２２】図２１のＡ線に沿う断面図
【図２３】図２１のＡ線に沿う断面図
【図２４】受け皿を使用した本発明の第１の実施の形態における容器の斜視図
【図２５】本発明の容器の装着部材を頭に掛けない使用態様
【図２６】本発明の容器の装着部材を頭に掛けた使用態様
【符号の説明】
【００６１】
１：容器
２：シート
３：蒸気発生体
４：孔
５：突起部
６：溝状凹部
７：保持板
８：見返し部
９：紐
１０：布
１１：管状部
１２：開口部
１３：装着部材
１４：スペース
１５：係止具
１６：ストッパー
１７：顔型保持板
１８：受け皿
１９：脚部
【図１】
2005046596.tif 000003
【図２】
2005046596.tif 000004
【図３】
2005046596.tif 000005
【図４】
2005046596.tif 000006
【図５】
2005046596.tif 000007
【図６】
2005046596.tif 000008
【図７】
2005046596.tif 000009
【図８】
2005046596.tif 000010
【図９】
2005046596.tif 000011
【図１０】
2005046596.tif 000012
【図１１】
2005046596.tif 000013
【図１２】
2005046596.tif 000014
【図１３】
2005046596.tif 000015
【図１４】
2005046596.tif 000016
【図１５】
2005046596.tif 000017
【図１６】
2005046596.tif 000018
【図１７】
2005046596.tif 000019
【図１８】
2005046596.tif 000020
【図１９】
2005046596.tif 000021
【図２０】
2005046596.tif 000022
【図２１】
2005046596.tif 000023
【図２２】
2005046596.tif 000024
【図２３】
2005046596.tif 000025
【図２４】
2005046596.tif 000026
【図２５】
2005046596.tif 000027
【図２６】
2005046596.tif 000028